(57)【要約】      （修正有）【課題】排水音を低減可能な遮音シートにおいて、継手への取付けが容易な遮音シートを提供する。【解決手段】排水経路の一部に設けられる継手に巻き回すことで、排水経路で生じる排水音を遮音するための遮音シート１であって、略矩形状の本体２と、本体２に一体に形成され、該本体２の一部において、その巻き回し方向に延出する蓋部３と、を備え、本体２には、掃除口付継手の掃除口部を、裏面から表面にかけて挿通可能な掃除口挿通孔２１と、取付部材４を本体に保持する保持部２２と、が形成されている。【選択図】図１
0003222640.tif 000002
【実用新案登録請求の範囲】
【請求項１】
排水経路の一部に設けられる継手に巻き回すことで、前記排水経路で生じる排水音を遮音するための遮音シートであって、
略矩形状の本体と、
前記本体に一体に形成され、該本体の一部において、その巻き回し方向に延出する蓋部と、を備え、
前記本体には、
前記継手の掃除口部を、裏面から表面にかけて挿通可能な掃除口挿通孔と、
取付部材を前記本体に保持する保持部と、
が形成されていることを特徴とする遮音シート。
【請求項２】
前記取付部材は前記本体に複数設けられることを特徴とする請求項１に記載の遮音シート。
【請求項３】
前記保持部は前記本体の裏面から表面に至る開孔であって、
前記開孔は、少なくとも前記取付部材が挿通可能な大きさで設けられることを特徴とする請求項１または２に記載の遮音シート。
【請求項４】
一つの前記取付部材に対して前記開孔を複数設ける場合、
当該複数の開孔は、前記本体の巻き回し方向に配するよう設けられることを特徴とする請求項３に記載の遮音シート。
【請求項５】
前記取付部材は、互いの取付部材が、前記掃除口挿通孔の径よりも広く離間していることを特徴とする請求項２〜４のいずれか１項に記載の遮音シート。
【請求項６】
前記取付部材の一部と、前記本体の一部とを固定することを特徴とする請求項１〜５のいずれか１項に記載の遮音シート。
【考案の詳細な説明】
【技術分野】
【０００１】
本考案は、継手に取付ける遮音シートに関する。
【背景技術】
【０００２】
従来から、集合住宅等には、上層階からの排水を集合した後、階下に流すための排水立管が設置されている。この排水立管の途中には、排水立管内の点検や清掃を行うための掃除口を備えた継手（いわゆる、掃除口付継手）が設けられている。
【０００３】
ところで、排水立管内を流れる排水により排水立管内に発生した排水音は、そのような掃除口部から周囲に漏れやすい。そこで、掃除口部からの排水音を遮音するために、遮音シートを継手に巻きつけ、継手全体を被覆する対策がとられている。遮音シートには掃除口部を露出するための開口部が設けられている。
【０００４】
一般的に遮音シートの取付方法として、遮音シートの開口部と、掃除口部と、を合わせた状態で、遮音シートの上下をインシュロック等の結束バンドで締め付け固定する。その後、開口部を遮音シートの蓋部にて覆うことにより、掃除口継手全体が遮音シートにより被覆される。
【０００５】
ここで、特許文献１には、遮音シート本体に一体に設けられる蓋部の裏側に雄部材を設け、また、遮音シート本体の窓開口の縁部に雌部材を設け、それら雄部材と雌部材との間で取付けおよび取外しが繰返し可能な構成を付与した遮音シートが開示されている。また、この特許文献１は、当該構成により、掃除口部の被覆および露出を容易に行い得る点、開示されている。
【先行技術文献】
【特許文献】
【０００６】
【特許文献１】特開２０１７−８７０５号公報
【考案の概要】
【考案が解決しようとする課題】
【０００７】
しかしながら、特許文献１の遮音シートは雄部材から雌部材に至る距離が一定になるよう設計されている。そのため、当初の設計とは異なるサイズの継手に同種の遮音シートを取付けようとすると、例えば、遮音シートの一部を折込むようにして、雄部材と雌部材との距離を調整し、雄／雌の両部材を重ねる必要があった。
【０００８】
このような遮音シートの取付にかかる調整は、インシュロック等による締め付け固定の前段階で行わなければならず、作業が煩雑であった。加えて、遮音シートを折込むなどして出来た隙間からは排水音が漏れる恐れもあった。
【０００９】
本考案は上記の課題に鑑みてなされたものであり、その目的は、排水音を低減可能な遮音シートにおいて、継手への取付けが容易な遮音シートを提供することにある。
【課題を解決するための手段】
【００１０】
前記課題を解決するために、本考案にかかる遮音シートは、以下の特徴を有する。
【００１１】
（１）本考案にかかる遮音シートは、排水経路の一部に設けられる継手に巻き回すことで、前記排水経路で生じる排水音を遮音するための遮音シートであって、略矩形状の本体と、前記本体に一体に形成され、該本体の一部において、その巻き回し方向に延出する蓋部と、を備え、前記本体には、前記継手の掃除口部を、裏面から表面にかけて挿通可能な掃除口挿通孔と、取付部材を本体に保持する保持部と、が形成されていることを特徴とする。
【００１２】
（１）の構成によれば、遮音シート１の掃除口挿通孔２１に掃除口付継手６の掃除口部６２を挿通した後、本体２に保持されている取付部材４を所定の方向に巻き回すことで、遮音シート１を掃除口付継手６に取り付けることが出来る。また、掃除口付継手６の継手本体６１および掃除口付継手６の掃除口部６２が、それぞれ遮音シート１により被覆される。このため、掃除口付継手６から漏れる排水音を低減できる。
従って、本考案にかかる遮音シート１は、排水音を低減可能な遮音シート１において、取付部材４の巻き回しのみで遮音シート１を継手に取り付けることができることから、継手への取付けが容易である。
【００１３】
（２）（１）にかかる遮音シートにおいて、前記取付部材は本体に複数設けられることが好ましい。
【００１４】
（２）の構成によれば、掃除口付継手６の取付時において、複数の取付部材４を利用して、遮音シート１を掃除口付継手６に取り付けることができる。複数の取付部材４を巻き回すことで、一つの取付部材４を用いる場合に比べて、遮音シート１の掃除口付継手６への密着度合いを向上できる。
加えて、遮音シート１の取付時において、各取付部材４は、本体２に保持されていることから、一方の取付部材４を遮音シート１の仮留めように利用できる。その後、他方の取付部材４をしっかりと固定した後、再度、一方の取付部材４を巻きなおすことで、遮音シート１が継手に対してしっかりと密着される。
従って、遮音シート１による排水音の低減をより具体的に可能にすることが出来る。
【００１５】
（３）（１）または（２）にかかる遮音シートにおいて、前記保持部は前記本体の裏面から表面に至る開孔であって、前記開孔は、少なくとも前記取付部材が挿通可能な大きさで設けられることが好ましい。
【００１６】
（３）の構成によれば、取付部材４の一方の端部が開孔（保持孔２２）に挿通した状態にあることから、遮音シート１の取付前後において取付部材４の紛失や遮音シート１からの脱離を防ぐことができる。
従って、遮音シート１の取付け時の心配事が低減される。
【００１７】
（４）（３）にかかる遮音シートにおいて、一つの前記取付部材に対して前記開孔を複数設ける場合、当該複数の開孔は、前記本体の巻き回し方向に配するよう設けられることが好ましい。
【００１８】
（４）の構成によれば、取付部材４が遮音シート１に織り込まれるため、取付部材４と遮音シート１とを略一体化できる。具体的には、一つの取付部材４について、巻き回し方向、一方の孔（保持孔２２）より挿通させた取付部材４を他方の孔（保持孔２２）から挿通させることで、取付部材４が遮音シート１に織り込まれる。すると、取付部材４は、遮音シート１からは外れにくくなり、かつ遮音シート１の掃除口付継手６への密着度合いを向上できる。
従って、遮音シート１による排水音の低減をより具体的に可能にすることが出来る。
【００１９】
（５）（２）〜（４）のいずれか一つにかかる遮音シートにおいて、前記取付部材は、互いの取付部材が、前記掃除口挿通孔の径よりも広く離間していることが好ましい。
【００２０】
（５）の構成によれば、少なくとも２つの取付部材４が掃除口部６２の両端に対して、蓋部３を掃除口部６２に押し当てることが出来る。そのため、遮音シート１の掃除口付継手６への密着度合いをより向上できる。
従って、遮音シート１による排水音の低減を一層具体的に可能にすることが出来る。
【００２１】
（６）（１）〜（５）のいずれか一つにかかる遮音シートにおいて、前記取付部材の一部と、前記本体の一部とを固定することが好ましい。
【００２２】
（６）の構成によれば、取付部材４が本体に一体になる。そのため、遮音シート１の運搬時や取付作業時において、取付部材４の紛失を防ぐことができる。
【考案の効果】
【００２３】
以上、説明したように本考案にかかる遮音シートによれば、排水音の低減が可能であり、かつ継手への取付けが容易である。
【図面の簡単な説明】
【００２４】
【図１】本考案にかかる遮音シート１を示す図面であり、同図（Ａ）は表面、同図（Ｂ）は裏面を示す図である。
【図２】図１に示す遮音シート１の部分断面図である。
【図３】本考案にかかる排水立管５を示す斜視図である。
【図４】本考案にかかる遮音シート１を掃除口継手６に取付ける際の取付手順を示す図である。
【考案を実施するための形態】
【００２５】
以下、本考案を実施するための形態を図面１〜４に基づいて説明する。なお、以下に示す実施形態は、発明の趣旨をより良く理解させるためのものであり、特段指定のない限りは、本考案を限定するものではない。また、各図面は本考案の特徴を分かりやすくするために示すものであり、各構成要素の寸法比率などが、実際のものと同一であるとは限らない。
【００２６】
図１は、本考案にかかる遮音シート１を示す図面であり、同図（Ａ）は表面、同図（Ｂ）は裏面を示す図である。図２は、図１に示す遮音シート１の部分断面図である。図３は、本考案にかかる排水立管５を示す斜視図である。図４は、本考案にかかる遮音シート１を掃除口継手６に取付ける際の取付手順を示す図である。
【００２７】
（遮音シート１の構成）
遮音シート１は、後述する排水立管５の掃除口継手６（図３参照）部分に巻き回されることで、掃除口継手６全体を被覆し、掃除口継手６を外部から遮蔽する。
これにより、遮音シート１は、排水立管５内を流れる排水により生じた排水音に基づく、掃除口継手６およびその周辺からの音漏れを低減する。
【００２８】
図１（Ａ）および図１（Ｂ）に示したように、遮音シート１は、掃除口継手６の継手本体６１を覆うための本体２と、掃除口継手６の掃除口部６２を覆うための蓋部３と、遮音シート１を掃除口継手６に取付るための取付部（取付部材）４と、から構成されている。
【００２９】
本体２の形状は、略矩形状である。
本体２の一辺は、掃除口継手６に巻き付けた際に、継手本体６１を周回可能な長さであることが好ましい。本体２が継手本体６１の外周を周回できることにより、無用な隙間が生じ難い。
これにより、本体２は、継手本体６１全体の振動や継手本体６１を伝わり拡散される排水音を低減できる。
【００３０】
本体２には、掃除口部６２の挿通可能な掃除口挿通孔２１と、取付部材４（取付部）を保持するための保持孔２２（保持部）が形成されている。
【００３１】
掃除口挿通孔２１は、遮音シート１を掃除口継手６に巻き回した際に、掃除口部６２が表面１ａ側に突出するよう本体２に設けられた孔である。そのため、掃除口挿通孔２１は、本体の一部において表面１ａから裏面１ｂにかけて貫通して形成されている。
【００３２】
本実施形態において、掃除口挿通孔２１は、本体２の上下方向（図１（Ａ）の紙面上下方向に対応）において中央部に、また、本体２の左右方向（図１（Ａ）の紙面左右方向に対応）左側に設けられている。そのため、掃除口挿通孔２１は、遮音シート１を巻き回した際に、蓋部３で被覆可能な位置に設置される。特に、掃除口挿通孔２１は、掃除口挿通孔２１から突出する掃除口部６２が蓋部３の上下左右方向の中心部に位置するよう、設けられることが好ましい。
【００３３】
掃除口挿通孔２１の開口径は、例えば、掃除口継手６の管体６２ａの外径と一致する程度に形成される。
【００３４】
掃除口挿通孔２１の開口径を広める場合は、掃除口挿通孔２１と管体６２ａとの間に空間的な隙間が生まれるため、遮音シート１の取り付けが容易になるが、その反面、遮音シート１の密着度の低下や遮音シート１の脱離の恐れが生じうる。
【００３５】
掃除口挿通孔２１の開口径を狭める場合、掃除口挿通孔２１と管体６２ａとの隙間を小さくできる。そのため、遮音シート１と掃除口継手６との密着度を向上できる。
加えて、掃除口挿通孔２１の開口径を狭めたことで、掃除口挿通孔２１と管体６２ａとの接点において摩擦が生じる。作業者が、巻き回し途中に、不意に手を離してしまった際であっても、この摩擦により、遮音シート１が管体６２ａを中心に回動してしまうことや、遮音シート１が管体６２ａから不意に脱離してしまうこと、を抑制できる。
【００３６】
保持孔２２は、取付部材４を遮音シート１に保持させるための孔である。保持孔２２は、取付部材４を挿通させた状態で、遮音シート１に対して取付部材４を保持させている。
【００３７】
本実施形態において、保持孔２２は、一つの取付部材４を保持するために、遮音シートの巻き回し方向において３個存在する。
保持孔２２は、まず、一つ目の保持孔２２に取付部材４を挿通させることにより、取付部材４の端部は、一方が本体２の表面１ａ上に、他方が裏面１ｂ上に配される。次いで、二つ目、三つ目の保持孔２２に、その取付部材４を順次挿通させていくことで、取付部材４が本体２に織り込まれていく。
このようにして、本体２に存在する複数の保持孔２２は、取付部材４の本体２への保持力を向上できる。また、この状態の取付部材４を引っ張ることで遮音シート１は掃除口継手６にしっかりと被覆される。
【００３８】
また、本実施形態において、上記３個の保持孔２２を１セットとして、２セットの保持孔２２が設けられている。この時、１セットの保持孔２２同士はその上下方向が掃除口挿通孔２１の開孔径、程度に離間するように設けられている。
この状態の取付部材４をそれぞれ引っ張り、あわせることにより、蓋部３は掃除口部６２にしっかりと被覆される。
【００３９】
なお、本実施形態において保持孔２２の数は、巻き回し方向に３個の開孔させた例を説明したが、これに限られず、１個、２個、または４個以上であればよい。
【００４０】
各保持孔２２は、その上下方向の長さが取付部材４の挿通可能な程度で形成されている。
【００４１】
なお、本実施形態において保持部が孔として設けた例を例示したが、取付部材４の保持手段としては、孔に限られず、例えばステープラ、両面テープ、ホック、面ファスナーといったものにより、本体２の表面に取付部材４を保持させておく手段に変更することも可能である。
【００４２】
蓋部３は、掃除口挿通孔２１から挿通した状態の掃除口部６２を被覆し、遮蔽するためのものである。
【００４３】
本実施形態において、蓋部３の形状は、略矩形状である。
蓋部３は、掃除口部６２全体を被覆するために、少なくとも、掃除口部６２よりも広範で形成されている。この蓋部３は、本体２に一体に形成され、本体２の一つの辺において、その巻き回し方向に向けて延出するように形成されている。
【００４４】
以上説明した、遮音シート１は、表面１ａと裏面１ｂとから構成される。
本実施形態の遮音シート１は、表層１１と、裏層１２とを張り合わせることにより形成される。
【００４５】
表面１ａは、巻き回した遮音シート１の最外層面であり、表面１ａは裏層１２を保護するとともに、その内側で発生する排水音を吸収する。
表面１ａは、ゴム、エラストマー、シリコーンや、制振プラスチックからなる弾性素材の表層１１で構成される。
【００４６】
表層１１は、これらの素材に限られず、制振や防振目的で使用可能な弾性素材から選ばれることが好ましい。
【００４７】
裏面１ｂは、遮音シート１を巻きつけた際に、掃除口継手６に接する面であり、継手本体６１および掃除口部６２の振動を吸収し、制振するなどして、排水音の音波の伝播を抑制する。
裏面１ｂは、ウレタンフォーム、スポンジ、フェルト、不織布、グラスウール、ロックウールや、発泡素材からなる裏層１２で構成される。
【００４８】
裏層１２は、これらの素材に限られず、音を減衰する目的で使用可能な吸音性能のある素材から選ばれることが好ましい。
【００４９】
なお、遮音シート１は、上記２層の構造に限られず、遮音性を向上できる第３の層を表層１１と、裏層１２との間に設けても良い。
また、遮音シート１と掃除口継手６との密着性を向上できる第３の層を裏層１２と、掃除口継手６の間に設けても良い。
【００５０】
（取付部材４の構成）
取付部材４は、遮音シート１を巻き回した状態で、表面４１と裏面４２とを互いにあてがうことにより取付が可能であり、また、表面４１または裏面４２のどちらか一方を、他方の反対面方向に引っ張ることにより取外が可能である。
本実施形態において、取付部材４は、長尺の面ファスナーを使用する。
【００５１】
なお、取付部材４は面ファスナーに限られるものではなく、表面４１と裏面４２の両面間で互いに取付および取外可能な部材を用いることも出来る。
なお、取付および取外可能な部材としては、例えば、ホック、ボタンなども適用できる。
【００５２】
取付部材４は、巻き回し方向に対して長尺に形成されている。取付部材４の長さは、遮音シート１を巻き回した際に、取付部材４の両端部が重なり合う程度の長さを備えている。
【００５３】
取付部材４は、本実施形態において１つの遮音シート１に、二つ設けている。各取付部材４は、それぞれ本体２に織り込まれている。
一方の取付部材４の両端部を引っ張り合わせた後、その表面４１と裏面４２とをあてがうことにより、本体２および蓋部３が掃除口継手６に被覆された状態で固定できる（仮固定状態）。さらに、他方の取付部材４の両端部を引っ張り合わせた後、その表面４１と裏面４２とをあてがうことにより、遮音シート１が掃除口継手６にしっかりと固定される（本固定状態）。
【００５４】
（掃除口継手６の構成）
図３に示したように、掃除口継手６は、継手本体６１および掃除口部６２から構成される。
継手本体６１の上下には、それぞれ受け口６３が形成されており、パイプ６４が差し込まれることで排水立管５が形成されている。
【００５５】
継手本体６１には、その中間部分において継手本体６１に一体に形成される円筒状の管体６２ａと、その管体６２ａの端部において掃除口を閉口する蓋部６２ｂが設けられている。
【００５６】
（掃除口継手６への遮音シート１の適用例）
以下、本発明にかかる遮音シート１を掃除口継手６に適用例を説明する。
【００５７】
先ず、図４（Ａ）に示したように遮音シート１の掃除口挿通孔２１が掃除口継手６の掃除口部６２に来るように配した後、遮音シート１を掃除口継手６に押し当てる。その状態で、本体２を継手本体６１に巻き回すことで、図４（Ｂ）の状態となる。
次いで、掃除口部６２に蓋部３を被せるようにして、さらに巻き回す。
その後、例えば、下側の取付部材４の表面４１と裏面４２とを合わせることで、遮音シート１は仮固定状態となり、その後、上側の取付部材４の固定することにより遮音シート１は本固定状態となる。これにより図４（Ｃ）に示したように遮音シート１が掃除口継手６に取り付けられる。
また、上記仮固定状態で留めた下側の取付部材４の密着状態が不安な場合には、再度、下側の取付部材４を引っ張り合わせることで、当該蓋部３の下方部分が掃除口部６２にしっかりと密着され、掃除口継手６の遮音シート１への密着度合いが向上される。
【００５８】
掃除口継手６は、その全体が遮音シート１により被覆／遮蔽されるため、掃除口継手６およびその周辺からの排水音の漏れ低減できる。
【符号の説明】
【００５９】
１・・・遮音シート、１ａ・・・表面、１ｂ・・・裏面、１１・・・表層、１２・・・裏層、  ２・・・本体、２１・・・掃除口挿通孔、２２・・・保持孔（保持部）
３・・・蓋部、  ４・・・取付部材（取付部）、４１・・・表面、４２・・・裏面
５・・・排水立管  ６・・・掃除口継手、６１・・・継手本体、６２・・・掃除口部、６２ａ・・・管体、６２ｂ・・・掃除口蓋部、６３・・・受け口、６４・・・パイプ
【図１】
0003222640.tif 000003
【図２】
0003222640.tif 000004
【図３】
0003222640.tif 000005
【図４】
0003222640.tif 000006